(57)【特許請求の範囲】
【請求項１】
加速度センサ及びコンピュータ処理部を有する携帯電話機において、
前記加速度センサから出力された加速度入力信号を受けることにより前記加速度入力信号におけるパルスのエッジ部分を検出するとともに、パルスを検出するごとにパルス検出信号を出力する検出回路と、
前記検出回路からのパルス検出信号を受けることによりパルス検出信号を受けた回数を計数するとともに、計数された回数が予め設定された回数になるごとにタイミング信号を出力する計数回路と、
前記加速度センサからの加速度入力信号を受けることにより前記加速度入力信号におけるパルスの振幅若しくは幅に基づいて加速度値を算出するとともに、算出された加速度値に係る加速度値データを出力する加速度算出回路と、
前記計数回路からのタイミング信号を受けるごとに、当該タイミング信号を受けたときの前記加速度算出回路からの加速度値データをレジスタに保持させるとともに、前記加速度値データを出力するラッチ回路と、
前記ラッチ回路からの加速度値データを保持するとともに、新しい加速度値データが入力された時に保持されているその前回の加速度値データを出力し、前記前回の加速度値データを出力した後に前記新しい加速度値データを保持するディレイ回路と、
前記ラッチ回路からの新しい加速度値データ、及び、前記ディレイ回路からの前回の加速度値データに基づいてその差分値を算出するとともに、差分値データを出力する減算器と、
前記減算器からの差分値が予め設定された規定値より大きいか否かを比較するとともに、差分値が規定値より大きいときにそのことを知らせる通知信号を出力する比較器と、
予め設定されたモードにより前記比較器からの通知信号又は前記計数回路からのタイミング信号を受けることにより、前記コンピュータ処理部における割り込み処理プログラムを実行させる割込信号を前記コンピュータ処理部に向けて出力する割込発生回路と、
を備える回路ユニットを有することを特徴とする携帯電話機。
【請求項２】
加速度センサ及びコンピュータ処理部を有する携帯電話機において、
前記加速度センサから出力された加速度入力信号を受けることにより前記加速度入力信号におけるパルスのエッジ部分を検出するとともに、パルスを検出するごとにパルス検出信号を出力する検出回路と、
前記検出回路からのパルス検出信号を受けることによりパルス検出信号を受けた回数を計数するとともに、計数された回数が予め設定された回数になるごとにタイミング信号を出力する計数回路と、
前記加速度センサからの加速度入力信号を受けることにより前記加速度入力信号におけるパルスの振幅若しくは幅に基づいて加速度値を算出するとともに、算出された加速度値に係る加速度値データを出力する加速度算出回路と、
前記計数回路からのタイミング信号を受けるごとに、当該タイミング信号を受けたときの前記加速度算出回路からの加速度値データをレジスタに保持させるラッチ回路と、
前記計数回路からのタイミング信号を受けることにより、前記コンピュータ処理部における割り込み処理プログラムを実行させる割込信号を前記コンピュータ処理部に向けて出力する割込発生回路と、
を備える回路ユニットを有することを特徴とする携帯電話機。
【請求項３】
加速度センサ及びコンピュータ処理部を有する携帯電話機において、
前記加速度センサからの加速度入力信号を受けることにより前記加速度入力信号におけるパルスの振幅若しくは幅に基づいて加速度値を算出するとともに、算出された加速度値に係る加速度値データを出力する加速度算出回路と、
前記加速度算出回路からの加速度値データをレジスタに保持させるとともに、前記加速度値データを出力するラッチ回路と、
前記ラッチ回路からの加速度値データを保持するとともに、新しい加速度値データが入力された時に保持されているその前回の加速度値データを出力し、前記前回の加速度値データを出力した後に前記新しい加速度値データを保持するディレイ回路と、
前記ラッチ回路からの新しい加速度値データ、及び、前記ディレイ回路からの前回の加速度値データに基づいてその差分値を算出するとともに、差分値データを出力する減算器と、
前記減算器からの差分値が予め設定された規定値より大きいか否かを比較するとともに、差分値が規定値より大きいときにそのことを知らせる通知信号を出力する比較器と、
前記比較器からの通知信号を受けることにより、前記コンピュータ処理部における割り込み処理プログラムを実行させる割込信号を前記コンピュータ処理部に向けて出力する割込発生回路と、
を備える回路ユニットを有することを特徴とする携帯電話機。
【請求項４】
前記加速度センサは、Ｘ軸方向及びＹ軸方向の各方向の加速度を検出するとともに、Ｘ軸方向及びＹ軸方向ごとにＸ軸加速度入力信号及びＹ軸加速度入力信号を出力する２次元加速度センサであり、
前記回路ユニットは２つ存在し、第１の回路ユニットは前記Ｘ軸加速度入力信号に対応し、第２の回路ユニットは前記Ｙ軸加速度入力信号に対応することを特徴とする請求項１乃至３のいずれか一に記載の携帯電話機。
【請求項５】
前記加速度センサは、Ｘ軸方向、Ｙ軸方向及びＺ軸方向の各方向の加速度を検出するとともに、Ｘ軸方向、Ｙ軸方向及びＺ軸方向ごとにＸ軸加速度入力信号、Ｙ軸加速度入力信号及びＺ軸加速度入力信号を出力する３次元加速度センサであり、
前記回路ユニットは３つ存在し、第１の回路ユニットは前記Ｘ軸加速度入力信号に対応し、第２の回路ユニットは前記Ｙ軸加速度入力信号に対応し、第３の回路ユニットは前記Ｚ軸加速度入力信号に対応することを特徴とする請求項１乃至３のいずれか一に記載の携帯電話機。
【請求項６】
前記コンピュータ処理部は、プログラムを実行していないときに、前記割込発生回路からの割込信号を受けることにより、所定のプログラムを実行させる割り込み処理プログラムを有することを特徴とする請求項１乃至５のいずれか一に記載の携帯電話機。
【請求項７】
前記コンピュータ処理部は、前記割込発生回路からの割込信号を受けることにより、実行中のプログラムを一時中断させ、別のプログラムを実行させる割り込み処理プログラムを有することを特徴とする請求項１乃至６のいずれか一に記載の携帯電話機。
【発明の詳細な説明】
【０００１】
【発明の属する技術分野】
本発明は、加速度検出機能付き携帯電話機に関し、特に、低消費電力で加速度を測定することができる携帯電話機に関する。
【０００２】
【従来の技術】
携帯電話機は、歩いたり車で移動しながら通話をすることができ便利なものであるが、携帯性ゆえに落下による損傷を生ずることがある。このため、生産ラインにおいて携帯電話機の組立後にショック検査を行ない、これに合格し、他の検査に合格しなければ出荷されることはない。
【０００３】
【発明が解決しようとする課題】
しかしながら、工場でショック検査に合格した携帯電話機であっても、ショック検査後の工程や、工場出荷からユーザに渡るまでの流通過程や、ユーザに渡った後において、落下による損傷を負うことがある。このように携帯電話機が損傷した場合に、メーカ責かユーザ責かの判断が難しく、また、正確な損傷理由が掴めないと技術的な対策処置も適用が難しいという課題がある。
【０００４】
ところで、従来の携帯電話機には、加速度センサを備え、落下による衝撃値を検出し、その値を記憶するものがある。このような携帯電話機は、所定値以上の加速度を検出することで所定のモードに入るため、加速度が所定値か否かを常時監視しなければならない。そのため、常時加速度を検出していると消費電力が増加してしまう。一方、このような機能を携帯電話機のユーザがＯＦＦにすると、加速度を検出できなくなってしまう。
【０００５】
本発明の第１の目的は、損傷理由が掴める携帯電話機を提供することである。
【０００６】
本発明の第２の目的は、加速度を監視しつつも低消費電力で加速度を検出できる携帯電話機を提供することである。
【０００７】
【課題を解決するための手段】
本発明の第１の視点においては、加速度センサを有する携帯電話機において、前記加速度センサからの加速度入力信号を受けることにより前記加速度入力信号におけるパルスの振幅若しくは幅に基づいて加速度値を算出する加速度算出回路と、前記加速度値に係るデータを保持するレジスタと、を備える回路ユニットを有することを特徴とする。これにより、落下強度を常時監視することができる。
【０００８】
本発明の第２の視点においては、加速度センサ及びコンピュータ処理部を有する携帯電話機において、前記コンピュータ処理部においてプログラムを実行していない状態でも、前記加速度センサからの加速度入力信号を受けることにより前記加速度入力信号におけるパルスの振幅若しくは幅に基づいて加速度値を算出する加速度算出回路と、前記加速度値に係るデータを保持するレジスタと、を備える回路ユニットを有することを特徴とする。これにより、プログラムを使用していない状態でも、バックグランドで加速度値（落下強度）の監視を検出することができる。
【０００９】
本発明の第３の視点においては、加速度センサ及びコンピュータ処理部を有する携帯電話機において、前記加速度センサから出力された加速度入力信号を受けることにより前記加速度入力信号におけるパルスのエッジ部分を検出するとともに、パルスを検出するごとにパルス検出信号を出力する検出回路と、前記検出回路からのパルス検出信号を受けることによりパルス検出信号を受けた回数を計数するとともに、計数された回数が予め設定された回数になるごとにタイミング信号を出力する計数回路と、前記加速度センサからの加速度入力信号を受けることにより前記加速度入力信号におけるパルスの振幅若しくは幅に基づいて加速度値を算出するとともに、算出された加速度値に係る加速度値データを出力する加速度算出回路と、前記計数回路からのタイミング信号を受けるごとに、当該タイミング信号を受けたときの前記加速度算出回路からの加速度値データをレジスタに保持させるとともに、前記加速度値データを出力するラッチ回路と、前記ラッチ回路からの加速度値データを保持するとともに、新しい加速度値データが入力された時に保持されているその前回の加速度値データを出力し、前記前回の加速度値データを出力した後に前記新しい加速度値データを保持するディレイ回路と、前記ラッチ回路からの新しい加速度値データ、及び、前記ディレイ回路からの前回の加速度値データに基づいてその差分値を算出するとともに、差分値データを出力する減算器と、前記減算器からの差分値が予め設定された規定値より大きいか否かを比較するとともに、差分値が規定値より大きいときにそのことを知らせる通知信号を出力する比較器と、予め設定されたモードにより前記比較器からの通知信号又は前記計数回路からのタイミング信号を受けることにより、前記コンピュータ処理部における割り込み処理プログラムを実行させる割込信号を前記コンピュータ処理部に向けて出力する割込発生回路と、を備える回路ユニットを有することを特徴とする。これにより、ユーザが使用中のソフトウェアに応じて、加速度値の検出方法を選択することで低消費電力化できる。
【００１０】
本発明の第４の視点においては、加速度センサ及びコンピュータ処理部を有する携帯電話機において、前記加速度センサから出力された加速度入力信号を受けることにより前記加速度入力信号におけるパルスのエッジ部分を検出するとともに、パルスを検出するごとにパルス検出信号を出力する検出回路と、前記検出回路からのパルス検出信号を受けることによりパルス検出信号を受けた回数を計数するとともに、計数された回数が予め設定された回数になるごとにタイミング信号を出力する計数回路と、前記加速度センサからの加速度入力信号を受けることにより前記加速度入力信号におけるパルスの振幅若しくは幅に基づいて加速度値を算出するとともに、算出された加速度値に係る加速度値データを出力する加速度算出回路と、前記計数回路からのタイミング信号を受けるごとに、当該タイミング信号を受けたときの前記加速度算出回路からの加速度値データをレジスタに保持させるラッチ回路と、前記計数回路からのタイミング信号を受けることにより、前記コンピュータ処理部における割り込み処理プログラムを実行させる割込信号を前記コンピュータ処理部に向けて出力する割込発生回路と、を備える回路ユニットを有することを特徴とする。これにより、ソフトで事前設定した回数の加速度を検出したときだけ割込みを発生させることができる。
【００１１】
本発明の第５の視点においては、加速度センサ及びコンピュータ処理部を有する携帯電話機において、前記加速度センサからの加速度入力信号を受けることにより前記加速度入力信号におけるパルスの振幅若しくは幅に基づいて加速度値を算出するとともに、算出された加速度値に係る加速度値データを出力する加速度算出回路と、前記加速度算出回路からの加速度値データをレジスタに保持させるとともに、前記加速度値データを出力するラッチ回路と、前記ラッチ回路からの加速度値データを保持するとともに、新しい加速度値データが入力された時に保持されているその前回の加速度値データを出力し、前記前回の加速度値データを出力した後に前記新しい加速度値データを保持するディレイ回路と、前記ラッチ回路からの新しい加速度値データ、及び、前記ディレイ回路からの前回の加速度値データに基づいてその差分値を算出するとともに、差分値データを出力する減算器と、前記減算器からの差分値が予め設定された規定値より大きいか否かを比較するとともに、差分値が規定値より大きいときにそのことを知らせる通知信号を出力する比較器と、前記比較器からの通知信号を受けることにより、前記コンピュータ処理部における割り込み処理プログラムを実行させる割込信号を前記コンピュータ処理部に向けて出力する割込発生回路と、を備える回路ユニットを有することを特徴とする。これにより、事前に設定した値以上に大きな加速度値の変化が見られたときだけ割込みを発生させることができる。
【００１２】
また、前記携帯電話機において、前記加速度センサは、Ｘ軸方向及びＹ軸方向の各方向の加速度を検出するとともに、Ｘ軸方向及びＹ軸方向ごとにＸ軸加速度入力信号及びＹ軸加速度入力信号を出力する２次元加速度センサであり、前記回路ユニットは２つ存在し、第１の回路ユニットは前記Ｘ軸加速度入力信号に対応し、第２の回路ユニットは前記Ｙ軸加速度入力信号に対応することが好ましい。
【００１３】
また、前記携帯電話機において、前記加速度センサは、Ｘ軸方向、Ｙ軸方向及びＺ軸方向の各方向の加速度を検出するとともに、Ｘ軸方向、Ｙ軸方向及びＺ軸方向ごとにＸ軸加速度入力信号、Ｙ軸加速度入力信号及びＺ軸加速度入力信号を出力する３次元加速度センサであり、前記回路ユニットは３つ存在し、第１の回路ユニットは前記Ｘ軸加速度入力信号に対応し、第２の回路ユニットは前記Ｙ軸加速度入力信号に対応し、第３の回路ユニットは前記Ｚ軸加速度入力信号に対応することが好ましい。
【００１４】
また、前記携帯電話機において、前記コンピュータ処理部は、プログラムを実行していないときに、前記割込発生回路からの割込信号を受けることにより、所定のプログラムを実行させる割り込み処理プログラムを有することが好ましい。
【００１５】
また、前記携帯電話機において、前記コンピュータ処理部は、前記割込発生回路からの割込信号を受けることにより、実行中のプログラムを一時中断させ、別のプログラムを実行させる割り込み処理プログラムを有することが好ましい。
【００１６】
【発明の実施の形態】
加速度センサ（図１の３０）を有する携帯電話機において、前記加速度センサからの加速度入力信号を受けることにより前記加速度入力信号におけるパルスの振幅若しくは幅に基づいて加速度値を算出する加速度算出回路（図１の１３）と、前記加速度値に係るデータを保持するレジスタ（図１の１９）と、を備えることにより、バックグランドのみの動作（ソフトウェアを用いないで）で加速度を測定できるので、消費電力を低く抑えつつ落下強度を常時監視することが可能となる。
【００１７】
【実施例】
本発明の実施例１について図面を用いて説明する。図１は、本発明の実施例１に係る携帯電話機における回路ユニットの構成を模式的に示したブロック図である。
【００１８】
この携帯電話機の回路ユニット１０は、検出回路１１と、計数回路１２と、加速度算出回路１３と、ラッチ回路１４と、ディレイ回路１５と、減算器１６と、比較器１７と、割込発生回路１８と、を有する。この回路ユニット１０は、加速度センサ３０及びコンピュータ処理部４０と接続する。
【００１９】
加速度センサ３０は、加速度を検出するセンサであり、加速度を検出することにより、その加速度に応じて変調される振幅、幅のパルスを含む加速度入力信号を出力する。加速度センサ３０は、検出回路１１及び加速度算出回路１３と電気的に接続しており、加速度入力信号を検出回路１１及び加速度算出回路１３に向けて出力する。
【００２０】
コンピュータ処理部４０は、各種ソフトウェア（プログラム）に基づいてをコンピュータ処理を行なう部分であり、割込発生回路１８からの割込信号を受けることにより割り込み処理プログラムを実行する。
【００２１】
検出回路１１は、加速度センサ３０からの加速度入力信号における各パルスのエッジ部分を検出する回路であり、各パルスの検出毎にパルス検出信号を出力する。検出回路１１は、計数回路１２と電気的に接続しており、パルス検出信号を計数回路１２に向けて出力する。
【００２２】
計数回路１２は、検出回路１１からのパルス検出信号に基づいて加速度入力信号におけるパルス数をカウントする回路であり、予めソフトウェアで設定された回数（例えば２回）毎にパルスの周期を知らせるタイミング信号を出力する。計数回路１２は、ラッチ回路１４及び割込発生回路１８と電気的に接続しており、タイミング信号をラッチ回路１４及び割込発生回路１８に供給する。
【００２３】
加速度算出回路１３は、加速度センサ３０からの加速度入力信号（パルスの振幅、幅）に基づいて加速度値を算出する回路であり、算出された加速度値に係る加速度値データを出力する。加速度算出回路１３は、ラッチ回路１４と電気的に接続しており、加速度値データをラッチ回路１４に向けて出力する。
【００２４】
ラッチ回路１４は、計数回路１２からのタイミング信号を受けるごとに当該タイミング信号を受けたときの加速度算出回路１３からの加速度値データを保持する回路であり、加速度値データを出力する。ラッチ回路１４は、リードレジスタ１９と電気的に接続しており、加速度値データをレジスタ１９に記憶させる。レジスタ１９に記憶された加速度値データは、事後的にソフトウェアの操作によりラッチ回路１４を介して読み出すことができる。また、ラッチ回路１４は、ディレイ回路１５及び減算器１６と電気的に接続しており、加速度値データをディレイ回路１５及び減算器１６に向けて出力する。
【００２５】
ディレイ回路１５は、加速度値データを１回分遅延させて減算器１６に向けて出力する回路である。すなわち、ラッチ回路１４からの前回の加速度値データを保持し、今回の加速度値データが入力された時に前回の加速度値データを減算器１６に向けて出力し、前回の加速度値データが出力された後に今回の加速度データを保持し、次回の加速度値データが入力された時に今回の加速度値データを減算器１６に向けて出力する、という動作を繰り返す。ディレイ回路１５は、減算器１６と電気的に接続している。
【００２６】
減算器１６は、ディレイ回路１５からの前回の加速度値データと、ラッチ回路１４からの今回の加速度値データと、に基づいてその差分値を算出する回路である。減算器１６は、比較器１７と電気的に接続しており、差分値データを比較器１７に向けて出力する。
【００２７】
比較器１７は、減算器１６から出力された差分値が予め設定された規定値より大きいか否かを比較する回路であり、差分値が規定値より大きいときにそのことを知らせる通知信号を出力する。比較器１７は、レジスタ２０と接続しており、レジスタ２０に記憶された比較基準となる規定値を読み取ることができるようになっている。なお、規定値は、事前にソフトウェアによって設定できるようになっている。また、比較器１７は、割込発生回路１８と電気的に接続しており、通知信号を割込発生回路１８に向けて出力する。
【００２８】
割込発生回路１８は、比較器１７からの通知信号又は計数回路１２からのタイミング信号を受けることにより、コンピュータ処理部４０における割り込み処理プログラムを起動させる、すなわち、割込を発生させる回路であり、割込を発生させるときは割込を指示する割込信号をコンピュータ処理部４０に向けて出力する。割込発生回路１８は、レジスタ２１と接続しており、レジスタ２１に記憶されているモードを読み取ることができるようになっている。モードには、比較基準より大きい変化があった場合（比較器１７からの通知信号を受けた場合）に割込みを発生させるモードと、計数回路１２からのタイミング信号が入力される度に（周期的に）割込みを発生させるモードと、があり、事前にソフトウェアによって選択できるようになっている。割込発生回路１８によって割込みが発生すると、コンピュータ処理部４０における割り込み処理プログラムが実行され、コンピュータ処理部４０からの要求によりレジスタ１９から加速度値が読み出される。
【００２９】
次に、実施例１に係る携帯電話機における加速度入力信号と割込時期の関係について図面を用いて説明する。
【００３０】
図２は、本発明の実施例１に係る携帯電話機の回路ユニットにおけるパルスの特定回数毎に割込発生する場合の加速度入力信号と割込時期の関係を示した模式図である。ここでは、加速度入力信号におけるパルスを２回検出するごとに加速度を検出する場合の割込時期を示している。この図では、左側から第２番目のパルス（Ｐ２）と第４番目のパルス（Ｐ４）の際に割込みが発生している（矢印参照）。
【００３１】
図３は、本発明の実施例１に係る携帯電話機の回路ユニットにおける加速度の変化が一定値以上あったときだけ割込発生する場合の加速度入力信号と割込時期の関係を示した模式図である。加速度入力信号における各パルスのパルス幅は加速度に対応しているものとする。この図の左側から第１番目のパルス（Ｐ１）から第２番目のパルス（Ｐ２）にかけてパルス幅が増加しているがあまり大きくないため設定値を超えることができない、すなわち、加速度の変化が一定値を超えていないので、第２番目のパルス（Ｐ２）の際に割込みが発生していない。第２番目のパルス（Ｐ２）から第３番目のパルス（Ｐ３）にかけてのパルス幅は急激に広くなっており、加速度値が急激に大きくなっているため設定値を超え、すなわち、加速度の変化が一定値を超えているので、第３番目のパルス（Ｐ３）の際（加速度値を算出した時点）に割込みが発生している（矢印参照）。
【００３２】
実施例１の携帯電話機の使用態様について説明する。
【００３３】
ユーザが加速度センサを用いた機能を使用していない場合（ソフトウェアを用いていない場合を含む）には、事前に設定した一定値以上の加速度の変化を検出したときだけ割込みを発生するように設定する。一定値以上の値を検出したときは割込みが発生し、そのときの日付・時間と加速度（割込み時の一定値以上のもの）を関連付けてメモリに記憶する。これにより、加速度の監視を低消費電力で行うことが可能となる。その結果、落下衝撃の検出を常時に低消費電力で行うことが可能となり、破損時の要因追求に役立てることができる。
【００３４】
また、加速度センサを必要とするソフトウェア上の機能をユーザが使用している場合は、一定時間を数回〜数10回（充分に機能の役目を果たせる程度）にサンプリング検出して割込み発生するように設定することで、低消費電力で歩数計、ゲーム、加速度検出による各ユーザ入力などの機能が実現できる。
【００３５】
さらに、ユーザが使用中の機能のために検出している加速度値を他機能に使いまわすことで、加速度センサを用いた複数機能を同時に制御することが可能となり、ユーザ機能のバックグランドで落下衝撃を測定することができる。
【００３６】
次に、本発明の他の実施例について図面を用いて説明する。
【００３７】
図４は、本発明の実施例２に係る携帯電話機の構成の一部を模式的に示したブロック図である。この携帯電話機は、２次元加速度センサ１３０を搭載するものであり、図１の回路ユニット１０と同じ２つの回路ユニット１１０ａ、１１０ｂを有する。２次元加速度センサ１３０は、加速度を検出することによりＸ軸方向に係るＸ軸加速度出力信号若しくはＹ軸方向に係るＹ軸加速度出力信号を出力する。第１の回路ユニット１１０ａは、Ｘ軸加速度出力信号に基づいてＸ軸方向の加速度を検出する。第２の回路ユニット１１０ｂは、Ｙ軸加速度出力信号に基づいてＹ軸方向の加速度を検出する。第１の回路ユニット１１０ａ及び第２の回路ユニット１１０ｂの一方又は両方において割込みが発生すると、コンピュータ処理部１４０における割り込み処理プログラムが実行され、コンピュータ処理部１４０からの要求により第１の回路ユニット１１０ａ（レジスタ）及び第２の回路ユニット１１０ｂ（レジスタ）の一方又は両方から加速度値が読み出される。実施例２によれば、実施例１と同等の機能が果たせる。
【００３８】
図５は、本発明の実施例３に係る携帯電話機の構成の一部を模式的に示したブロック図である。この携帯電話機は、３次元加速度センサ２３０を搭載するものであり、図１の回路ユニット１０と同じ３つの回路ユニット２１０ａ、２１０ｂ、２１０ｃを有する。３次元加速度センサ２３０は、加速度を検出することによりＸ軸方向に係るＸ軸加速度出力信号、Ｙ軸方向に係るＹ軸加速度出力信号若しくはＺ軸方向に係るＺ軸加速度出力信号を出力する。第１の回路ユニット２１０ａは、Ｘ軸加速度出力信号に基づいてＸ軸方向の加速度を検出する。第２の回路ユニット２１０ｂは、Ｙ軸加速度出力信号に基づいてＹ軸方向の加速度を検出する。第３の回路ユニット２１０ｃは、Ｚ軸加速度出力信号に基づいてＺ軸方向の加速度を検出する。第１の回路ユニット２１０ａ、第２の回路ユニット２１０ｂ及び第３の回路ユニット２１０ｃのいずれか１つ又は２以上において割込みが発生すると、コンピュータ処理部２４０における割り込み処理プログラムが実行され、コンピュータ処理部２４０からの要求によりから加速度値が読み出される。実施例３によれば、実施例１と同等の機能が果たせる。
【００３９】
【発明の効果】
本発明によれば、落下衝撃の検出を常に低消費電力で行うことが可能となり、破損時の要因追求に役立てることができる。
【００４０】
また、加速度検出の方法や加速度を測定した際に発する割込信号の発生方法を選択できる回路としているので、一つの加速度センサを多目的に利用できることが可能となり、ユーザーが加速度センサを必要とする機能を使用していないときでも低消費電力で加速度センサを使用した機能をバックグランド（ハードウェア）で動作できる。
【図面の簡単な説明】
【図１】本発明の実施例１に係る携帯電話機における回路ユニットの構成を模式的に示したブロック図である。
【図２】本発明の実施例１に係る携帯電話機の回路ユニットにおけるパルスの特定回数毎に割込発生する場合の加速度入力信号と割込時期の関係を示した模式図である。
【図３】本発明の実施例１に係る携帯電話機の回路ユニットにおける加速度の変化が一定値以上あったときだけ割込発生する場合の加速度入力信号と割込時期の関係を示した模式図である。
【図４】本発明の実施例２に係る携帯電話機の構成の一部を模式的に示したブロック図である。
【図５】本発明の実施例３に係る携帯電話機の構成の一部を模式的に示したブロック図である。
【符号の説明】
１０、１１０ａ、１１０ｂ、２１０ａ、２１０ｂ  回路ユニット
１１  検出回路
１２  計数回路
１３  加速度算出回路
１４  ラッチ回路
１５  ディレイ回路
１６  減算器
１７  比較器
１８  割込発生回路
１９、２０、２１  レジスタ
３０  加速度センサ
４０、１４０、２４０  コンピュータ処理部
１３０  ２次元加速度センサ
２３０  ３次元加速度センサ
【図１】
0003803610.tif 000002
【図２】
0003803610.tif 000003
【図３】
0003803610.tif 000004
【図４】
0003803610.tif 000005
【図５】
0003803610.tif 000006